(57)【要約】【課題】ケーブルラックの開口溝のない子桁に照明器具などを簡単な方法で確実に取付ける。【解決手段】取付けネジ３０の軸部３１が挿通される挿通穴２１を有する取付け基板２２と、取付け基板２２の一端からほぼ垂直方向に上方へ延設された第１の垂直板２３と、垂直板２３の上端から前記取付け基板２２と反対側へ水平方向に延設された水平板２４と、前記水平板２４の先端からほぼ垂直方向に下方へ延設された第２の垂直板２５と、前記第２の垂直板２５の下端から前記取付け基板側へ屈曲された係止片２６とを備え、ケーブルラックの子桁１２の下壁面１２ｂを前記係止片２６が覆い、子桁の第２の側壁面１２ｄを前記第２の垂直板２５が覆い、子桁の上壁面１２ａを前記水平板２４が覆い、子桁の第１の側壁面１２ｃを前記第１の垂直板２３が覆った状態で、前記取付け基板２２の前記挿通穴２１に軸部３１を挿通されたネジ３０で器具を前記取付け基板２２の下面側に取付ける。【選択図】        図４
2004166351.tif 000002
【特許請求の範囲】
【請求項１】
ケーブルラックの子桁に取付けられる器具取付け具であって、
取付けネジの軸部が挿通される挿通穴を有する取付け基板と、
前記取付け基板の一端からほぼ垂直方向に上方へ延設された第１の垂直板と、
前記垂直板の上端から前記取付け基板と反対側へ水平方向に延設された水平板と、
前記水平板の先端からほぼ垂直方向に下方へ延設された第２の垂直板と、
前記第２の垂直板の下端から前記取付け基板側へ屈曲された係止片とを備え、
ケーブルラックの子桁の下壁面を前記係止片が覆い、子桁の第２の側壁面を前記第２の垂直板が覆い、子桁の上壁面を前記水平板が覆い、子桁の第１の側壁面を前記第１の垂直板が覆った状態で、前記取付け基板の前記挿通穴に軸部を挿通されたネジで器具を前記取付け基板の下面側に取付けるようにしたことを特徴とする器具取付け具。
【請求項２】
前記第１の垂直板に前記第２の垂直板側へ突出したエンボス部を設けて、子桁の第１の側壁面にこのエンボス部を圧接させるようにしたことを特徴とする請求項１記載の器具取付け具。
【請求項３】
前記第１の垂直板に前記第２の垂直板側へ突出した切り起こし部を設けて、子桁の第１の側壁面にこの切り起こし部を圧接させるようにしたことを特徴とする請求項１記載の器具取付け具。
【請求項４】
前記第１の垂直板にネジ穴を設け、このネジ穴に前記第２の垂直板側へ突出するようにボルトを螺着したことを特徴とする請求項１記載の器具取付け具。
【請求項５】
前記取付け基板の前記挿通穴を長穴状にしたことを特徴とする請求項１記載の器具取付け具。
【請求項６】
前記取付け基板の前記挿通穴から下方へ挿通した取付けネジの軸部の基部に抜け防止板を取付けたことを特徴とする請求項１記載の器具取付け具。
【請求項７】
前記取付け基板に前記挿通穴を複数設けたことを特徴とする請求項１記載の器具取付具。
【発明の詳細な説明】
【０００１】
【発明の属する技術分野】
本発明はケーブルラックの下面側に器具（例えば照明器具など）を取付けるための取付け具に関する。
【０００２】
【従来の技術】
ビルディング、工場、倉庫、駅舎などの建造物などにおいて、天井近くなどに図１０に示すように２本の互いに平行な親桁１、１と、２本の親桁１、１を連結する多数の一定間隔の子桁２から成るはしご型をしたケーブルラック３を設置し、このケーブルラック３に沿って、子桁２の上にケーブルやパイプなどの長尺物（図示せず）を配線・配管することが一般に行われている。
そして、ケーブルラック３を利用して、ケーブルラック３の下面側に照明器具５などを取付けることも行われている。
【０００３】
ケーブルラック３の下面側に照明器具５を取付けるには、従来では、図１０、１１に示すように、開口した子桁２の上面の開口溝２ａによって係止される取付け具６などを用いて、取付けていた（例えば特許文献１、特許文献２参照）。
【０００４】
しかしながら、ケーブルラックとして近年重量が軽いアルミニュウム製のものが普及してきているが、図１２に示すようにこのアルミニュウム製のケーブルラック１０では、その強度上の問題から２つの親桁１１、１１を連結する子桁１２はスチール製のケーブルラックの場合のような開口溝２ａがなく、子桁１２は上壁面１２ａと下壁面１２ｂと両側壁面１２ｃ、１２ｄとによって断面が中空四角柱状に構成されているため、図１１に示したような開口溝２ａを利用して係止する取付け具６を用いることができなかった。
【０００５】
このため、従来では図１３に示すように親桁１１、１１の外側に被せて親桁１１、１１の上端に、金具１３、１３を係止し、この２つの金具１３、１３の下端に溝形鋼１４などを固定し、この溝形鋼１４を２ケ所に設けて、照明器具５の両端を２ケ所の溝形鋼１４によって取付けていた（例えば非特許文献１参照）。
【０００６】
【特許文献１】
特許第２６３０９１５号（図６、図７）
【特許文献２】
特許第２５８３２０２号（図５、図７）
【非特許文献１】
「ネグロス電工総合カタログ２００２／０３Ａ」ネグロス電工発行（６７８頁）
【０００７】
【発明が解決しようとする課題】
しかしながら、このように金具１３や溝形鋼１４などを組合せて取付けるのは、作業が煩雑で時間がかかり、また、大きな部材を多数用いるためコスト高となっていた。
【０００８】
本発明はこのような問題を解決し、簡単に照明器具などをケーブルラックに取付けられ、コスト低減を図れるようにした器具取付け具を提供することを目的としている。
【０００９】
【課題を解決するための手段】
前記目的を達成するために、本発明の器具取付け具では、
ケーブルラックの子桁に取付けられる器具取付け具であって、
取付けネジの軸部が挿通される挿通穴を有する取付け基板と、
前記取付け基板の一端からほぼ垂直方向に上方へ延設された第１の垂直板と、
前記垂直板の上端から前記取付け基板と反対側へ水平方向に延設された水平板と、
前記水平板の先端からほぼ垂直方向に下方へ延設された第２の垂直板と、
前記第２の垂直板の下端から前記取付け基板側へ屈曲された係止片とを備え、
ケーブルラックの子桁の下壁面を前記係止片が覆い、子桁の第２の側壁面を前記第２の垂直板が覆い、子桁の上壁面を前記水平板が覆い、子桁の第１の側壁面を前記第１の垂直板が覆った状態で、前記取付け基板の前記挿通穴に軸部を挿通されたネジで器具を前記取付け基板の下面側に取付けるようにしたことを特徴としている。
【００１０】
このように構成したため、ケーブルラックの子桁に開口溝がない場合でも、子桁の下壁面と第２の側壁面の境界の角部を器具取付け具の第１の垂直板の下端と係止片の先端との間から第２の垂直板の内面に接近するようにいれて、取付け基板を子桁の第１の垂直板方向に近づくように器具取付け具を回動させることによって、ケーブルラックの子桁の下壁面を前記係止片が覆い、子桁の第２の側壁面を前記第２の垂直板が覆い、子桁の上壁面を前記水平板が覆い、子桁の第１の側壁面を前記第１の垂直板が覆った状態で器具取付け具を子桁に簡単に取付けることができ、前記取付け基板の前記挿通穴に挿通されたネジの軸部に器具を取付けることができる。
【００１１】
また、前記第１の垂直板に前記第２の垂直板側へ突出したエンボス部を設ければ、このエンボス部が子桁の第１の側壁面に圧接されてガタツキを生じたり、誤って、外れるおそれがなくなる。
【００１２】
また、前記第１の垂直板に前記第２の垂直板側へ突出した切り起こし部を設ければ、この切り起こし部が子桁の第１の側壁面に圧接されてガタツキを生じたり、誤って、外れるおそれがなくなる。
【００１３】
また、前記第１の垂直板にネジ穴を設け、このネジ穴に前記第２の垂直板側へ突出するようにボルトを螺着すれば、このボルトの先端が子桁の第１の側壁面に圧接されてガタツキを生じたり、誤って、外れるおそれがなくなる。
【００１４】
また、前記取付け基板の前記挿通穴を長穴状にすれば、長穴に沿って、取付けネジの位置を選ぶことができるので器具の取付け位置の調節ができる。
【００１５】
また、前記取付け基板の前記挿通穴から下方へ挿通した取付けネジの軸部の基部に抜け防止板を取付ければ、取付け作業時に取付けネジが前記取付け基板の前記挿通穴から抜け外れることがなくなり、また、長穴に沿って移動させやすくなる。
【００１６】
また、前記取付け基板に前記挿通穴を複数設ければ、複数の挿通穴のいずれかを選んで取付けネジでの器具の取付け位置を調節することができる。
【００１７】
【発明の実施の形態】
以下、図面に基づいて本発明の実施の形態を説明する。
図１は本発明の一実施形態の器具取付け具２０を示している。
この器具取付け具２０は、取付けネジ３０の軸部３１（図２参照）が挿通される挿通穴２１を有する矩形平板状の取付け基板２２を備えている。
【００１８】
取付け基板２２の一端からほぼ垂直方向に上方へ向かって第１の垂直板２３が延設されている。この第１の垂直板２３の高さはケーブルラック１０の子桁１２の第１、第２の側壁部１２ｃ、１２ｄの高さとほぼ同じか僅かに大に設定されている。
【００１９】
第１の垂直板２３の上端から取付け基板２２と反対側へ水平方向に水平板２４が延設されている。この水平板２４の水平方向の長さはケーブルラック１０の子桁１２の上壁面１２ａ、下壁面１２ｂの幅（親桁と平行な方向の長さ）より僅かに大に設定されている。
【００２０】
水平板２４の先端からはほぼ垂直方向に下方へ向かって第２の垂直板２５が延設されている。第２の垂直板２５の高さは子桁１２の第１、第２の側壁面１２ｃ、１２ｄの高さより僅かに大に設定されている。
【００２１】
第２の垂直板２５の下端から前記取付け基板２２側へほぼ垂直に屈曲された係止片２６が設けられている。
【００２２】
従って、この器具取付け具２０は、図２に示すように、ケーブルラックの子桁１２に開口溝がない場合でも、子桁の下壁面１２ｂと第２の側壁面１２ｄの境界の角部Ａを器具取付け具２０の第１の垂直板２３の下端と係止片２６の先端との間から第２の垂直板２５の内面に接近するようにいれた後、図３に矢印Ｂで示すように第１の垂直板２３が子桁１２の第１の垂直板１２ｃに近づくように器具取付け具２０を回動させることによって、図４、図５に示すようにケーブルラック１０の子桁１２の下壁面１２ｂを下方から係止片２６が覆い、子桁１２の第２の側壁面１２ｄを外方から第２の垂直板２５が覆い、子桁１２の上壁面１２ａを上方から水平板２４が覆い、子桁１２の第１の側壁面１２ｃを外方から第１の垂直板２３が覆った状態で器具取付け具２０を子桁１２に簡単に取付けることができる。そして、図４に示すように、取付け基板２２の挿通穴２１に取付けネジ３０の軸部３１を上側から下方に挿通して、この軸部３１に器具を取付けることができる。
【００２３】
即ち、取付けネジ３０の軸部３１を器具（例えば照明器具５）の上板５ａの取付け穴５ｂに挿通し、軸部３１の先端からナット３５を螺着し、このナット３５を回転させて取付けネジ３０の頭部３２とナット３５とで取付け基板２２と照明器具５の上板５ａとを締付けることによって照明器具５を子桁１２に取付けることができる（なお、取付けネジ３０を図４とは上下逆向きにすると、ケーブルラック１０の子桁１２上に配線・配管されたケーブルやパイプを軸部３１の先端で傷つけるおそれがある。）。
【００２４】
従って、照明器具（蛍光灯）５のようにケーブルラック１０の長手方向に長いものを取付けるには、図６に示すように照明器具５の両端の取付け穴に合わせて２本の子桁１２、１２を選び２つの器具取付け具２０、２０を子桁１２、１２に取付けて照明器具５の両端を取付けネジ３０、３０に固定すればよい。
【００２５】
なお、図１〜４に示すように前記第１の垂直板２３に第２の垂直板２５側へ突出した１個あるいは複数のエンボス部４１、４１を設ければ、図４に示すようにこのエンボス部４１、４１が子桁１２の第１の側壁面１２ｃに圧接されてガタツキを生じたり、誤って、外れるおそれがなくなる。
【００２６】
また、照明器具５を取付ける際に器具取付け具２０がエンボス部４１、４１によって子桁１２にガタツキがなく取付けられているから、照明器具５が下方から当たっても器具取付け具２０の取付け基板２２が上方へ動いたり傾いたりすることがなくなるので、器具取付け具２０の取付けが容易になる。
【００２７】
また、図７に示すように、前記エンボス部の代りに、第１の垂直板２３に第２の垂直板２５側へ突出した１個又は複数の切り起こし部４２、４２を設けてもよい。
【００２８】
また、図８に示すように、エンボス部や切り起こし部の代りに、第１の垂直板２３にネジ穴４３を設け、このネジ穴４３に第２の垂直板２５側へ軸部４４ａが突出するようにボルト４４を螺着してもよい。
【００２９】
図７、図８の切り起こし部４２、ボルト４４によって前記したエンボス部４１と同じ効果を果たす。
【００３０】
なお、図５、６に示すように、水平方向に長い蛍光灯のような照明器具５を取付ける場合には、照明器具５の上板５ａには両端に取付け穴５ｂが設けてあるので、この２つの取付け穴５ｂに合せやすいように、取付け基板２２の挿通穴２１を図１に示すように長穴状にし、長穴に沿って取付けネジ３０の位置を選ぶようにすれば、照明器具５の取付け穴５ｂとの合致が容易になる。
【００３１】
なお、取付けネジ３０として頭部３２の裏面に四角形台状部３３が設けられた角根ボルト（図３参照）を用い、挿通穴（長穴）２１の幅に四角形台状部が嵌まって角根ボルトを回転不能にすれば、ナット３５（図４参照）の締付け作業において角根ナットの共回りを防ぐことができる。
【００３２】
また、ナット３５として操作部３５ａが側方へ突出した蝶ナット（図４参照）を用いれば、手の指で操作部３５ａを操作することによって締付け作業が容易になる。
【００３３】
また、図３に示すように長穴状の挿通穴２１に取付けネジ３０の頭部３２の裏面が取付け基板２２の上面に接触した状態にし、取付け基板２２の下面側から四角形台状部３３が適合する矩形穴３７ａを備えたプラスチックなどの薄板から成る抜け防止板３７を用いて、この矩形穴３７ａに取付けネジ３０の軸部３１を挿通して四角形台状部３３を矩形穴３７ａに嵌着して頭部３２の裏面と抜け防止板３７で取付け基板２２を挟むようにしておけば、取付けネジ３０が挿通穴２１に仮止めされた状態となって、作業中に挿通穴２１から取付けネジ３０が抜けて落下したりする危険を防止できる。
【００３４】
また、このように抜け防止板３７を取付けネジ３０に取付けておけば、照明器具５の取付け穴５ｂとの位置調節のために取付け基板２２の挿通穴（長穴）２１に沿って取付けネジ３０を移動させる際に抜け防止板３７が取付け基板２２の下面に接触しているので取付けネジ３０が傾かず、移動が円滑にできるので取付け作業が容易になる。
【００３５】
なお、図４において３８はワッシャーである。
なお、挿通穴２１として長穴の代りに、図８に示すように複数の円形の穴にして、照明器具の取付け穴との位置調整のために複数の穴のいずれかを選ぶようにしてもよい。
なお、この複数の穴はタップネジ穴にして取付けネジを螺着させてもよい。
【００３６】
なお、図１に示すように取付け基板２２から第１の垂直板２３の一部にかけて外面側へ膨出したビード部５０、５０を設ければ、器具取付け具２０を比較的薄い金属板で作成しても充分な強度を保つことができる。
【００３７】
【発明の効果】
以上説明したように本発明によれば極めて簡単な構造の取付け具でケーブルラックの下面側に器具を容易に取付けることができ、大幅な作業時間の短縮とコストの軽減を実現できる。
【図面の簡単な説明】
【図１】本発明の一実施形態を示す斜視図
【図２】同実施形態の使用状態を示す断面図
【図３】同実施形態の使用状態を示す断面図
【図４】同実施形態の使用状態を示す断面図
【図５】同実施形態の使用状態を示す斜視図
【図６】同実施形態の使用状態を示す説明図
【図７】本発明の他の実施形態を示す斜視図
【図８】本発明の他の実施形態を示す斜視図
【図９】本発明の他の実施形態を示す斜視図
【図１０】従来のケーブルラックの下面側への器具の取付け状態を示す斜視図
【図１１】従来のケーブルラックの下面側への器具の取付け状態を示す部分断面図
【図１２】アルミニュウム製のケーブルラックを示す斜視図
【図１３】従来のアルミニュウム製のケーブルラックの下面側への器具の取付け状態を示す断面図
【符号の説明】
５  照明器具
１０  ケーブルラック
１１  親桁
１２  子桁
２０  器具取付け具
２１  挿通穴
２２  取付け基板
２３  第１の垂直板
２４  水平板
２５  第２の垂直板
２６  係止片
３０  取付けネジ
【図１】
2004166351.tif 000003
【図２】
2004166351.tif 000004
【図３】
2004166351.tif 000005
【図４】
2004166351.tif 000006
【図５】
2004166351.tif 000007
【図６】
2004166351.tif 000008
【図７】
2004166351.tif 000009
【図８】
2004166351.tif 000010
【図９】
2004166351.tif 000011
【図１０】
2004166351.tif 000012
【図１１】
2004166351.tif 000013
【図１２】
2004166351.tif 000014
【図１３】
2004166351.tif 000015